(57)【要約】【解決手段】雨水ドレン用インサート１０は、調節可能なフレーム１２を有する上側ビブを含んでおり、中央の土砂用袋３０が、上側ビブの中央開口２９から下方に延びる。オーバーフローポート３６が土砂用袋３０に設けられている。内向きに延びる張出しリング３４が、流入する水流を土砂用袋３０に入る際にオーバーフローポート３６から遠ざけるように方向付ける。上側ビブ２０、土砂用袋３０及び張出しリング３４は、油や他の炭化水素を捕捉するのに役立つ透水性の親油性布で作られてよい。【選択図】図１
2021519392.tif 000002
【特許請求の範囲】
【請求項１】
周縁フレームと、
透水性布と、前記周縁フレームで支持された外周縁部と、前記周縁フレームの内側に形成された開口とを備える上側ビブと、
前記上側ビブから下方に延びており、前記上側ビブの開口に隣接する上側リムを有しており、透水性布で構成された土砂用袋と、
前記土砂用袋の上側リムから見て横方向内向きに前記上側ビブから延びて張出し距離を規定する張出しリングと、
前記張出しリングの下方に鉛直に配置された前記土砂用袋の側壁に設けられた少なくとも１つのオーバーフローポートと、
を備えている、雨水ドレン用インサート。
【請求項２】
前記張出しリングが布で構成されている、請求項１に記載の雨水ドレン。
【請求項３】
前記張出しリングの布は透水性及び親油性を有する、請求項２に記載の雨水ドレン。
【請求項４】
前記張出しリングの張出し距離は０．５乃至３インチである請求項１に記載の雨水ドレン。
【請求項５】
前記張出しリングは内直径ＤＲを有し、前記土砂用袋の上側リムは直径ＤＴを有し、ＤＴ：ＤＲの比は１．０５：１乃至１．２：１である、請求項１に記載の雨水ドレン。
【請求項６】
前記上側ビブ及び前記土砂用袋の透水性布は親油性である、請求項１に記載の雨水ドレン。
【請求項７】
前記土砂用袋の内側に取り付けられた透水性の親油性材料のフィンガーを更に備える、請求項１に記載の雨水ドレン。
【請求項８】
前記少なくとも１つのオーバーフローポートは、少なくとも２つのオーバーフローポートからなり、各オーバーフローポートは、前記土砂用袋の高さＨＳの３０％未満の高さＨＯを有し、各土砂用ポートは、前記土砂用袋の周長の周りで測定され、前記土砂用袋の周長の１乃至３０％である幅ＷＳを有する、請求項１に記載の雨水ドレン。
【請求項９】
各オーバーフローポートは、前記土砂用袋の底板の上方で高さＨＢに位置する下端を有し、前記土砂用袋は、前記底板から前記上側リムまでの高さを測定した高さＨｓを有し、比Ｈｓ：ＨＢは、１．１：１乃至１．３：１である、請求項８に記載の雨水ドレン。
【請求項１０】
前記周縁フレームは調節可能である、請求項１に記載の雨水ドレン。
【請求項１１】
前記調節可能な周縁フレームは、略Ｌ字型の第１及び第２の外側フレームチューブと、前記第１の外側フレームチューブの第１の端部内にテレスコーピングに係合する一端部と前記第２の外側フレームチューブの第１の端部内にテレスコーピングに係合する反対側の端部とを有する略Ｌ字型の第１の内側フレームロッドと、前記第１の外側フレームチューブの第２の端部内にテレスコーピングに係合する一端部と前記第２の外側フレームチューブの第２の端部内にテレスコーピングに係合する反対側の端部とを有する略Ｌ字型の第２の内側フレームロッドとを備える、請求項１０に記載の雨水ドレン。
【請求項１２】
前記第１及び第２の内側フレームロッドが前記第１及び第２の外側フレームチューブ内で摩擦係合することで、前記第１及び第２の内側フレームロッドと前記第１及び第２の外側フレームチューブとの間の相対的な動きに対する抵抗がもたらされる、請求項１１に記載の雨水ドレン。
【請求項１３】
前記上側ビブの外周縁部は、前記外周縁部全体を取り囲むように延びる閉ポケットを構成し、前記調節可能な周縁フレームは前記閉ポケットに全体的に収容されている、請求項１０に記載の雨水ドレン。
【請求項１４】
調節可能な周縁フレームと、
上側ビブであって、透水性の布と、前記上側ビブの外周の周囲に延びており、前記調節可能な周縁フレームを囲む外周ポケットと、前記調節可能な周縁フレームの内側にある開口とを備える上側ビブと、
土砂用袋であって、前記土砂用袋の上側開口から下方に延びる透水性の布を備える土砂用袋と、
を備えており、
前記上側ビブは、前記調節可能な周縁フレームが調節されると、拡張形態から折り畳み形態に変わり、前記調節可能な周縁フレームは、前記拡張形態及び前記折り畳み形態の両方において、前記上側ビブの外側の前記外周ポケットに十分に収容されている、雨水ドレン用インサート。
【請求項１５】
前記調節可能な周縁フレームは、略Ｌ字型の第１及び第２の外側フレームチューブと、前記第１の外側フレームチューブの第１の端部内にテレスコーピングに係合する一端部と前記第２の外側フレームチューブの第１の端部内にテレスコーピングに係合する反対側の端部とを有する略Ｌ字型の第１の内側フレームロッドと、前記第１の外側フレームチューブの第２の端部内にテレスコーピングに係合する一端部と前記第２の外側フレームチューブの第２の端部内にテレスコーピングに係合する反対側の端部とを有する略Ｌ字型の第２の内側フレームロッドとを備える、請求項１４に記載の雨水ドレン用インサート。
【請求項１６】
前記第１及び第２の内側フレームロッドが前記第１及び第２の外側フレームチューブ内で摩擦係合することで、前記第１及び第２の内側フレームロッドと前記第１及び第２の外側フレームチューブとの間の相対的な動きに対する抵抗がもたらされる、請求項１５に記載の雨水ドレン用インサート。
【請求項１７】
前記第１及び第２の内側フレームロッドには、雄ねじが切られている、請求項１６に記載の雨水ドレン用インサート。
【請求項１８】
前記土砂用袋の上側リムから見て横方向内向きに前記上側ビブから延びて、張出し距離を規定する張出しリングと、前記張出しリングの下方に鉛直に配置された前記土砂用袋の側壁にある少なくとも１つのオーバーフローポートとを更に備えている、請求項１４に記載の雨水ドレン用インサート。
【請求項１９】
前記張出しリングの張出し距離は０．５インチ乃至３インチである、請求項１８に記載の雨水ドレン用インサート。
【請求項２０】
前記少なくとも１つのオーバーフローポートは、少なくとも２つのオーバーフローポートからなり、各オーバーフローポートは、前記土砂用袋の高さＨＳの３０％未満の高さＨＯを有し、各土砂用ポートは、前記土砂用袋の周長の周りで測定され、前記土砂用袋の周長の１乃至３０％である幅ＷＳを有する、請求項１８に記載の雨水ドレン用インサート。
【発明の詳細な説明】
【技術分野】
【０００１】
本発明は、サイズが調節可能であって、オーバーフロー状態に対処するように設計された雨水ドレン用インサートに関するものである。
【背景技術】
【０００２】
従来の雨水ドレン用インサートにおける特定の種類は透水性布の層を含んでおり、当該層は、土砂や他の混入物質を捕捉する一方で水を通過させることができる。幾つかの設計では、中央の土砂用袋が透水性布の平らな層から下向きに延びている。雨水ドレン用インサートは、雨水ドレンの格子の重さが布層の周縁部を押すことで、雨水チャンバ内で所定の位置に保持される。安定性を付加するために、留め具が布の端部にてループを介して任意選択的に挿入されてよい。留め具を収容するためには、スリット又は開口がフィルター布の外縁部又は隅部に設けられる。しかしながら、そのようなスリットや開口は、未処理の雨水を通過させてしまう虞がある。
【０００３】
円形の雨水ドレンでは、安定性を付加するために、円形の金属製ロッドを土砂用袋の円形の上端部に配置できる。このようなロッドは、チャンバ開口の特定の直径を規定することから、サイズの異なるチャンバに合うように調節できない。
【発明の概要】
【０００４】
本発明は、暴風雨等中の環境流出を無くす又は低減する雨水ドレン用インサートを提供する。雨水ドレン用インサートは透水性であるが、土砂、炭化水素、重金属や他の混入物質を捕捉する。雨水ドレン用インサートは、様々なサイズの雨水ドレンチャンバに適合するようにサイズ調整が可能であり、頂部の格子とチャンバの間でリップ部に載置される。雨水ドレン用インサートは、下向きに延びた土砂用袋を中央に有する上側ビブ（bib）を含む。オーバーフローポートが土砂用袋に設けられており、内向きに伸びる張出しリングが、土砂用袋に入ってくる水の流れをオーバーフローポートから遠ざけるように方向付ける。上側ビブ、土砂用袋及び張出しリングは、油や他の炭化水素を捕捉するのに役立つ透水性を有する親油性の布で作られていてよい。
【０００５】
本発明の一態様は、雨水ドレン用インサートを提供することであって、当該雨水ドレン用インサートは、周縁フレームと、透水性布で構成された上側ビブと、周縁フレームに支持された外周縁部と、周縁フレームの内側にある開口と、透水性布で構成されており、上側ビブから下向きに延びており、上側ビブの開口に隣接する上側リムを有する土砂用袋と、土砂用袋の上側リムから見て横方向内向きに上側ビブから延びており、張出し距離を規定する張出しリングと、張出しリングの下方に鉛直に配置された土砂用袋の側壁に設けられた少なくとも１つのオーバーフローポートとを備える雨水ドレン用インサートである。
【０００６】
本発明の別の態様は、雨水ドレン用インサートを提供することであって、当該雨水ドレン用インサートは、調節可能な周縁フレームと、透水性布で構成された上側ビブと、上側ビブの外周周りに延びており、調節可能な周縁フレームを囲む外周ポケットと、調節可能な周縁フレームの内側にある開口と、土砂用袋の上側開口から下向きに延びており、透水性布で構成された土砂用袋とを備えており、上側ビブは、調節可能な周縁フレームが調節されると、拡張形態から折り畳み形態に変化でき、調節可能な周縁フレームは、拡張形態及び折り畳み形態の両方において上側ビブの外周ポケット内に十分に収容されている、雨水ドレン用インサートである。
【０００７】
本発明のこれらの態様及びその他の態様は、以下の説明からより明らかになるであろう。
【図面の簡単な説明】
【０００８】
【図１】図１は、本発明の一実施形態に基づく雨水ドレン用インサートの等角図である。
【０００９】
【図２】図２は、本発明の一実施形態に基づく雨水ドレン用インサートの上側正面斜視図であって、当該インサートは、雨水ドレン格子の下にて雨水ドレンチャンバに設置されている。
【００１０】
【図３】図３は、本発明の一実施形態に基づく雨水ドレン用インサートの側面図である。
【００１１】
【図４】図４は、図３の雨水ドレン用インサートの側断面図である。
【００１２】
【図５】図５は、図３の雨水ドレン用インサートの平面図である。
【００１３】
【図６】図６は、本発明の一実施形態に基づく雨水ドレン用インサートの調節可能なフレームの斜視図である。
【００１４】
【図７】図７は、図６の調節可能なフレームの一部の拡大図である。
【００１５】
【図８】図８は、本発明の一実施形態に基づく拡張形態の雨水ドレン用インサートの平面図である。
【００１６】
【図９】図９は、折り畳み形態である図８の雨水ドレン用インサートの平面図である。
【発明を実施するための形態】
【００１７】
図１乃至図５は、本発明の一実施形態に基づく雨水ドレン用インサート１０を示している。雨水ドレン用インサート１０は、調節可能な周縁フレーム１２と、透水性布で作られた上側ビブ２０と、上側ビブ２０から下向きに延びており、中央に配置される土砂用袋３０とを含む。調節可能な周縁フレーム１２は、上側ビブ２０の外周縁部の周りに延びる切れ目が無いポケット２２内に収容されている。図２に示されるように、雨水ドレン用インサート１０は、雨水ドレンチャンバ内で雨水ドレン格子１１の下に設置され得る。
【００１８】
図１、図３及び図４に最も明確に示されるように、土砂用袋３０は略円筒形であって、上側リム３１と、底部パネル３２又はシーム（seam）とを有している。図示した実施形態では、土砂用袋３０の形状は、上側リム３１から底部パネル３２又はシームに向かって僅かに内向きにテーパー状になっている。
【００１９】
図１乃至図５に示されており、以下でより詳細に説明するように、土砂用袋３０の上側リム３１の上方に張出しリング３４が設けられており、流出水の流れを方向付ける。オーバーフローポート３６は、土砂用袋３０の側壁を貫通するように設けられている。図示した実施形態では、４つのオーバーフローポート３６が用いられている。しかしながら、他の任意の適当な数のオーバーフローポートが含まれてよく、例えば、２つ、３つ、５つ、又は６つ以上のポートが使用されてよい。特定の実施形態では、全てのオーバーフローポート３６を合わせた開放面積の合計は、少なくとも５平方インチ、例えば、少なくとも１０平方インチである。
【００２０】
図２、図４及び図５に示されるように、土砂用袋３０の内部には、フィンガー３８又は似たような形態の布が追加で設けられてよい。フィンガー３８が土砂用袋３０の内部に縫い付けられて、油の捕捉能力が高められてよい。
【００２１】
特定の実施形態では、上側ビブ２０、土砂用袋３０、張出しリング３４、及び布製フィンガー３８の布は透水性布で構成されており、その透水性布は水を通すが、土砂と、油、炭化水素、重金属のような他の混入物質とを捕捉する。布は、油や他の炭化水素を捕捉するために親油性であってよい。例えば、上側ビブ２０、土砂用袋３０及び布製フィンガー３８における親油性の透水性布は、目付が１平方ヤード当たり８±１オンス（ｏｓｙ）であって、厚さが０．１±０．０３３インチであるポリプロピレンから構成されてよい。布は可撓性を有しており、折り畳み可能であって、雨水ドレン用インサート１０は、使用前に、例えば出荷時や保管中に、ほぼ平らに折り畳むことができる。
【００２２】
張出しリング３４の親油性で透水性布は、目付が１平方ヤード当たり１１．２５±１．７５オンス（ｏｓｙ）で、厚さが０．１８５±０．０５インチのポリプロピレンとポリエステルの混合であってよい。
【００２３】
図４の断面図に示されているように、土砂用袋３０の高さは、上側リム３１から底部パネル３２までを測定したＨＳで表される。高さＨＳの典型的な範囲は、８インチ乃至５０インチであり、例えば１２インチ乃至２０インチであってよい。図４に更に示されているように、土砂用袋３０の上側リム３１は直径ＤＴを有しており、土砂用袋３０の底部パネル３２又は一部は、土砂で満たされている場合には直径ＤＢを有する。直径ＤＴ及び直径ＤＢは同じでも異なっていてよく、例えば、ＤＢをＤＴよりも僅かに小さくして、１°乃至１５°で土砂用袋の側面にテーパー角度を付けてよい。上側の直径ＤＴの典型的な範囲は、８乃至３２インチ、例えば１０乃至１６インチの範囲であってよい。土砂で満たされている場合における底部の直径ＤＢの典型的な範囲は、８乃至３２インチ、例えば９乃至１５インチであってよい。
【００２４】
張出しリング３４は、内直径ＤＲと、上側リム３１から径方向内向きに測定されたリングの張出し距離ＲＯとを有する。張出しリング３４の内直径ＤＲ及び張出し距離ＲＯは、土砂用袋３０の上側リム３１の開口に、０．５インチ乃至３インチ、例えば最小で１インチ、好ましくは２インチ張り出すような大きさである。張出しリング３４によって、雨水はオーバーフローポート３６を避けるように流れて、土砂用袋３０内に落ちる。従って、雨水の流量が土砂用袋３０の流動容量（flow-through-capacity）よりも大きい場合にのみ、雨水はオーバーフローポート３６から流れ出る。
【００２５】
オーバーフローポート３６は高さＨＯ及び幅ＷＯを有しており、また、底部パネル３２又はシームから上にＨＢの距離で配置された底縁を有する。高さＨＯの典型的な範囲は、１インチ乃至９インチ、例えば２インチ乃至６インチの範囲であってよい。幅ＷＯの典型的な範囲は、３乃至８インチ、例えば４乃至６インチの範囲であってよい。
【００２６】
オーバーフローポート３６の幅ＷＯは、土砂用袋３０の円周について測定されてよい。例えば、各オーバーフローポートの開口３６は、土砂用袋３０の円周について２５°乃至６５°の角度に対応する円周の長さを有していてよい。
【００２７】
図１、図３乃至図５に示されるように、上側ビブ２０の周縁部の周囲に閉じたポケット２２が設けられ、調節可能な周縁フレーム１２を収容する。図２に示されているように、ストラップハンドル２８が上側ビブ２０の向かい合う縁部に沿って設けられてよく、ループハンドル２９が上側ビブ２０の他の向かい合う縁部に設けられてよい。ハンドル２８及び２９は、非常に目立つストラップ材料で作られてよい。
【００２８】
本発明の一実施形態に基づく調節可能な周縁フレーム１２の詳細は、図６及び図７に示されている。調節可能な周縁フレーム１２は、２つの外側テレスコーピングフレームチューブ１６を受け入れる２つの内側テレスコーピングフレームロッド１４を含む。内側フレームロッド１４及び外側フレームチューブ１６のテレスコーピング動作により、調節可能な周縁フレーム１２は長さ及び幅を広げることが可能になり、様々なサイズの雨水ドレンチャンバ内に適合させることができる。十分に折り畳まれた状態から十分に拡張された状態において、周縁フレーム１２の各側辺は、ほぼ２倍の大きさになり、調節可能な周縁フレーム１２内の範囲はほぼ４倍の大きさになり得る。以下でより詳しく説明するように、内側テレスコーピングフレームロッド１４と外側テレスコーピングフレームチューブ１６との間の摩擦係合により、使用中における外側チューブ１６内での内側アーム１４の不必要な移動が防止又は低減される。
【００２９】
雨水ドレンチャンバのサイズへと調整する際のテレスコーピング動作は、上側ビブ２０と調節可能なフレーム１２を囲むポケット２２のフィルター布のスナッギング（snagging）を起こさないので、布の端部にスリットを設ける必要が無い。
【００３０】
内側ロッド１４及び外側チューブ１６は、ステンレス鋼又は真鍮等の他の耐食性金属のような任意の適切な材料で作られてよい。内側ロッド１４の外側表面及び／又は外側チューブ１６の内側表面は、ロッド１４とチューブ１６との間の抗力を増大させるために粗い面又は凹凸のある面であってよい。例えば、内側ロッド１４は、ねじ切りされていてよい。これは、ロッドが滑らかな場合において、土砂用袋の中に集められた土砂の重みによって外側チューブ内に自己退縮する問題を軽減する。ロッドの自己退縮は、整備のために格子が取り外されるとユニット全体が雨水枡に落下する原因となることがある。内側ロッド１４の典型的な直径は、０．２５±０．０６インチ、又は１／４×２０のねじ付きロッドであってよい。外側チューブ１６の典型的な直径は、内径で０．２５±０．０６インチで、外径で０．３９４±０．０６インチであってよい。
【００３１】
図８及び図９は夫々、拡張形態及び収縮形態の雨水ドレン用インサート１０を示している。図８において、拡張した雨水ドレン用インサート１０は、拡張した長さＬＥ及び拡張した幅ＷＥを有する。図９において、収縮した雨水ドレン用インサート１０は、収縮した長さＬＣ及び収縮した幅ＷＣを有する。最も収縮した状態における長さＬＣは、拡張した長さＬＥの５０％、例えば、約５５％又は約６０％に達してよい。最も収縮した状態における幅ＷＣは、拡張した幅ＷＥの５０パーセント、例えば、約５５パーセント又は約６０パーセントに達してよい。従って、雨水ドレン用インサート１０は、大幅にサイズの異なるドレンチャンバの領域をも覆うことができるようにサイズ調整され得る。調節可能な周縁フレーム１２が、上側ビブ２０を取り囲んでいるポケット２２内に十分に収容されていることで、未処理の雨水の不要な流出を減少又は無くすことができる。従って、図８及び図９に示されるように、拡張形態及び収縮形態の両方において、未処理の雨水が流れ出てしまう虞のあるスリット又は開口は、上側ビブ２０の周縁部又は他のどの場所にも設けられていない。
【００３２】
本明細書では、「含む」、「含有する」などの用語は、本願の文脈において「備える」と同義であってオープンエンドであり、記載又は列挙されていない更なる要素、材料、段階又は方法工程を排除しないものと理解される。本明細書では、「からなる」は、本願の文脈では、明記されない要素、材料、段階又は方法工程を排除するものと理解される。本明細書では、「から本質的になる」は、本願の文脈では、明記された要素、材料、段階又は方法工程を適宜含んでおり、更に、本発明の基本的又は新規特性に実質的に影響を及ぼさないような、明記されていない要素、材料、段階、又は方法工程を含むものと理解される。
【００３３】
本願では、単数形の使用は、特に明記されていない限り複数を含み、複数は単数を包含する。更に、本願では、「又は」の使用は、「及び／又は」が明示的に使用される場合もあるが、特に明記されていない限り「及び／又は」を意味する。本願及び添付の特許請求の範囲において、「ある」及び「その」という用語は、明示かつ明確に一個の指示対象に限定しない限りは、指示対象が複数である場合を含む。
【００３４】
例示のために本発明の特定の実施形態について説明してきたが、添付の特許請求の範囲で定義される本発明から逸脱することなく、本発明の詳細の様々な変更を行い得ることは当業者には明らかであろう。
【図１】
2021519392.tif 000003
【図２】
2021519392.tif 000004
【図３】
2021519392.tif 000005
【図４】
2021519392.tif 000006
【図５】
2021519392.tif 000007
【図６】
2021519392.tif 000008
【図７】
2021519392.tif 000009
【図８】
2021519392.tif 000010
【図９】
2021519392.tif 000011
【国際調査報告】
2021519392.tif 000012
2021519392.tif 000013